(57)【要約】【課題】  透析廃液および洗浄廃液のＢＯＤおよびＣＯＤレベルを低減し、ｐＨなど水質基準に適用する排水になるように処理するとともに、透析装置および流路における有機性の異物の発生を抑制し、透析装置の効率的な稼動を可能とする、簡易かつコンパクトな透析施設の水系システムを提供する。【解決手段】  ＲＯ水供給手段１、洗浄液供給手段２、透析装置３および透析廃液処理装置４からなる透析施設の水系システムであって、前記透析装置３の透析廃液の処理と前記透析装置３の配管系の除菌・洗浄廃液の処理とを同一処理装置によって行い、前記透析廃液の処理プロセスと配管系の除菌・洗浄廃液の処理プロセスを重複させることを特徴とする。ここで、前記配管系の除菌・洗浄を過酢酸系処理剤によって行うことが好適である。【選択図】  図１
2005245516.tif 000002
【特許請求の範囲】
【請求項１】
ＲＯ水供給手段、除菌・洗浄液供給手段、透析装置および透析廃液処理装置からなる透析施設の水系システムであって、前記透析装置の透析廃液の処理と前記透析装置の配管系の除菌・洗浄廃液の処理とを同一処理装置によって行い、前記透析廃液の処理プロセスと配管系の除菌・洗浄廃液の処理プロセスを重複させることを特徴とする透析施設の水系システム。
【請求項２】
前記配管系の除菌・洗浄を過酢酸系処理剤によって行うことを特徴とする請求項１記載の透析施設の水系システム。
【請求項３】
ＲＯ水供給手段から供出されるＲＯ排水を廃液処理装置の処置用水として用いることを特徴とする請求項１または２記載の透析施設の水系システム。
【請求項４】
前記廃液の処理に際し、前記透析装置の稼動情報を基に廃液処理装置の処理プロセスを制御することを特徴とする請求項１〜３のいずれかに記載の透析施設の水系システム。
【発明の詳細な説明】
【技術分野】
【０００１】
本発明は、血液透析装置およびその廃液処理装置を含む透析施設の水系システムに関し、詳しくは、透析後の血液透析装置の配管系を除菌・洗浄した廃液（以下「洗浄廃液」という。）の処理を含む透析施設の水系システムに関する。
【背景技術】
【０００２】
人工透析は、人間の腎機能を補填し、血液中の不要なものを除去し、必要なものを供給するシステムであるが、血液透析装置の廃液は、ブドウ糖などの栄養分に富んでおり、化学的酸素要求量（ＣＯＤ）および生物化学的酸素要求量（ＢＯＤ）が高い（ＢＯＤ値が１５００ｐｐｍ以上になることが多い）ため、下水道へ排出する前にＣＯＤおよびＢＯＤを低下させることが好ましく、一部水質規制の対象としてＢＯＤ値が６００ｐｐｍ未満となるように管理が必要となることがある。また、水質規制においては排出液の水素イオン濃度（ｐＨ）についても、現在ｐＨ値を５〜９に調整してから下水道もしくは公共水域に排出することが求められる。
【０００３】
従来、血液透析廃液の処理としては、気相オゾンによる処理やオゾン水による処理などが用いられ、例えば図４に示す装置が知られている。この装置は、接触促進部４１内で透析廃液とオゾン水とを効率的に混合するものであり、透析廃液の臭いを除去し、透析廃液中に含まれる栄養分を分解することを目的としている（例えば特許文献１）。こうした装置を用いた場合は、別途排水の水質保全のため中和処理が行われる。
【０００４】
また、透析装置の配管系に生じる汚れは、たん白質や脂質のような有機物あるいは炭酸カルシウムのような無機物が主であるが、さらに投薬成分や生体系の物質も含まれ、これらが複合体を形成するなど複雑な組成物となっている。また、こうした組成物の存在によって細菌の繁殖などが生じやすい状態となっている。こうしたことから、透析装置の配管系の除菌や洗浄（以下包括的に「洗浄」とする。）には、従来から、次亜塩素酸ナトリウム水溶液によるアルカリ洗浄や酢酸水溶液による酸洗浄、あるいはこれらを組合せた二段階の洗浄方法が広く採用されている。これは、次亜塩素酸の強い除菌性と反応性を利用し、除菌と有機系の汚れの除去を行うとともに、炭酸カルシウムを酢酸によって溶解除去するものである。また、次亜塩素酸ナトリウム水溶液に金属封鎖剤や界面活性剤等を配合した洗浄剤も知られる。さらに、最近、炭酸カルシウムの除去が可能で、強い除菌性を有し、かつ生分解性を有する洗浄剤として過酢酸系の洗浄剤が多く用いられるようになってきている（例えば特許文献２参照）。なお、洗浄能力の面からは、過ホウ酸ナトリウムなどの利用も可能であるが、水質基準を考慮すると洗浄廃液に対し特殊な処理を必要とすることから透析施設の水系システムには適していない。
【０００５】
今日、洗浄剤としては、上記のような無機物系が主流であり、洗浄廃液の処理としては、一般汚水と同様に中和処理を行うこと必要となり、中和剤として例えば、アルカリ洗浄における硫酸などが用いられ、酢酸などの酸性洗浄における水酸化ナトリウムなどが用いられる。洗浄廃液を中和しないで排水した場合、下水道周りのコンクリート腐蝕の発生や著しい例としては病院周辺の道路の陥没などを引き起こすことがあり、行政による監視も強くなっている。
【０００６】
また、従来、透析装置の稼動とその配管系の洗浄とは時間的に同時に行われることがなく、透析廃液の処理と洗浄廃液の処理とは別個独立に行われていた。従って、透析施設の水系システムとしては、例えば、午前中の４〜５時間程度の透析完了後に、３０分〜２時間程度の配管系の洗浄を行い、午後ほぼ同時間の透析を行い、その後に配管系の洗浄を行う、といった方法が採られることが一般的であった。
【特許文献１】特開２００１−１４９４７号公報
【特許文献２】特許第２５９９２０４号公報
【発明の開示】
【発明が解決しようとする課題】
【０００７】
しかしながら、洗浄廃液の処理においては、酢酸を用いた場合の廃液は、酢酸濃度が２０００〜６０００ｐｐｍと高濃度であることからｐＨ値が５以下となるとともに、ＢＯＤが３０００ｐｐｍ程度になることがあり、中和処理および有機物等の処理が必要となる。有機物等の処理については、透析廃液の処理と同様、上記のようなオゾン処理や紫外線照射処理を行うことが可能であるが、中和処理には、別の処理手段を用いて行う必要があることから、装置の大型化を回避することができない。さらに各装置の組合せによって操作が輻輳することが多く、処理の一元化が困難であった。
【０００８】
また、次亜塩素酸ナトリウムを用いた場合の廃液は、ｐＨ９を超えるとともに、そのまま中和処理を行うとトリクロロエチレン等の有機ハロゲン化合物が副生成され、その濃度は６ｐｐｍ〜１０ｐｐｍ程度となり、下水の受入基準の約２０倍以上となる。このとき、活性炭や高度処理フィルタ等で除去は可能だが、別途の施設を必要とし現状は皆無に等しい。
【０００９】
従来、こうした各処理において、例えば、活性汚泥法を利用した浄化槽を設置する方法が採られているが、通常浄化槽として１０トン規模の容量や相応の敷地の必要があり、ビル入居の医療施設にとっては不可能といえる。全国に約３０００箇所にある医療施設のうち半数程度がビル内の診療所であり、こうした大掛かりな設備を必要としない処理方法が望まれている。
【００１０】
また、中和装置の設置についても、別途、中和剤やｐＨセンサ等消耗品のランニングコストが発生するとともに、ビル診療所では設置自体が困難となる場合が多い。
【００１１】
さらに、実際の医療機関における透析施設においては、透析装置と廃液処理が全く異なる生産者によって作製され、ユーザにおいて組合せが行われることから、廃液処理まで含めた透析施設の水系システムという思想自体が皆無であった。従って、透析廃液と洗浄廃液の処理を別個に行う従来の方法では、透析施設の水系システムとしての実際の稼動時間は非常に限定されたものとなり、医療行為の効率化が求められる昨今の要請に合致しなくなっている。
【００１２】
本発明の目的は、透析廃液および洗浄廃液のＢＯＤおよびＣＯＤレベルを低減し、ｐＨなど水質基準に適用する排水になるように処理するとともに、透析装置および流路における有機性の異物の発生を抑制し、透析装置の効率的な稼動を可能とする、簡易かつコンパクトな透析施設の水系システムを提供することにある。具体的には、施設の機械室に設置可能なコンパクトな設備で、ＢＯＤ値などの水質管理項目を基準値未満にして排水することが可能で、透析後の洗浄処理を短時間で完了し、素早く透析を行うことができる透析施設の水系システムを提供することにある。
【課題を解決するための手段】
【００１３】
本発明者らは、上記課題を解決するために鋭意研究を重ねた結果、以下に示す透析施設の水系システムによって上記目的を達成できることを見出し、本発明を完成するに到った。
【００１４】
本発明は、ＲＯ水供給手段、除菌・洗浄液供給手段、透析装置および透析廃液処理装置からなる透析施設の水系システムであって、前記透析装置の透析廃液処理と前記透析装置の配管系の除菌・洗浄廃液処理とを同一処理装置によって行い、前記透析廃液処理プロセスと配管系の除菌・洗浄廃液処理プロセスを重複させることを特徴とする。
【００１５】
具体的には、透析廃液と洗浄廃液の各処理プロセスを透析施設の水系システムの１つの工程として捉え、両者を重複させて極力迅速な処理をおこなうことで長時間の人工透析を可能とし、かつ、両者の処理に必要な薬剤あるいは処理手段を極力少なくすることで、透析施設の水系システムの効率的稼動を図ることが可能となった。
【００１６】
つまり、透析廃液の処理と洗浄廃液の処理を同時に行うことは、装置の稼働率の向上にとって非常に有効であることは明確であり、特に人工透析のように限られた時間に集中して稼動する装置においては、その効果は非常に大きい。本発明者は、それだけではなく、１つの処理装置によって同時処理することによって水質基準に合う中和処理を容易にし、また、洗浄剤によって廃液処理装置内の細菌の排除を行うことを可能にし、かつ、使用する洗浄剤を特定した場合には、その処理速度が格段に向上することを見出した。
【００１７】
例えば、透析廃液が比較的量的に多く、かつ水素イオン濃度（ｐＨ）が約７．３とアルカリ性を有していることを活用し、酢酸などの酸洗浄廃液を、水酸化ナトリウムなど他の中和処理剤を用いることなく中和処理することができる。あるいは、界面活性剤などの有機性洗浄廃液では、清浄水による希釈を経て透析廃液と同様の処理によって無害化し排水として処理することができる。さらには、後述の過酢酸系処理剤を用いた廃液にあっては、透析廃液の存在によって過酢酸あるいは酢酸の分解が促進され、中和処理剤の必要もなくかつ迅速な処理ができることになる。
【００１８】
このように、本発明においては、同一処理装置によって両者の処理を同時に行うプロセスを有することによって、各処理を適切に行うと同時に、透析施設の水系システムの稼働率を非常に高めることができる。また、個々の洗浄剤によって固有の優れた効果を発揮することができるという優れたシステムを形成することができる。
【００１９】
ここで、ＲＯ水（ろ過水）とは、例えば、水道水などを濾過、イオン交換などの処理を行った後に、逆浸透膜によって精製された水をいい、同時に逆浸透膜からはＲＯ排水（濃縮水）が供出される。
【００２０】
本発明は、前記透析施設の水系システムにおいて、前記配管系の除菌・洗浄を過酢酸系処理剤によって行うことを特徴とする。
【００２１】
過酢酸系処理剤は、血液透析装置の配管洗浄に優れた能力を発揮するとともに、上記のように生分解性を有することが知られている。本発明者は、こうした知見を基に研究を進める過程において、さらに過酢酸系処理剤が透析廃液中において迅速に無害物に変化することを見出したものである。
【００２２】
本発明は、こうした特性を応用したもので、過酢酸系処理剤を用いて血液透析装置の配管洗浄を行い、廃液処理装置内での透析廃液と混合することにより洗浄廃液の処理を行うことによって、優れた透析施設の水系システムを構成することができる。つまり、洗浄廃液中の洗浄剤成分は迅速な分解反応によって無害化することで、中和剤などを用いずに排水のｐＨを基準内に抑えることができる。一方、洗浄廃液中の生物系成分は透析廃液中の生物系成分に近い成分であることから廃液処理装置の本来的機能で処理が可能である。両者が、同時にかつ迅速に進行することで、非常に優れた廃液処理が可能となったものである。
【００２３】
本発明は、前記透析施設の水系システムにおいて、ＲＯ水供給手段から供出されるＲＯ排水を廃液処理装置の処置用水として用いることを特徴とする。
【００２４】
透析液の作製においては、例えば水道水をＲＯ水供給手段において精製する必要がある一方、必ず所定量のＲＯ排水が発生する。本発明は、こうしたＲＯ排水を、例えば透析廃液の処理時における希釈用水やオゾン水の原水として、あるいは洗浄廃液の処理時の希釈用水として、さらにはオゾン発生装置用の冷媒として、透析施設の水系システム全体としての最適な方法で利用することによって、ＲＯ水およびＲＯ排水の有効利用を図るとともに、精製手段の負荷の軽減を図ることができる。
【００２５】
つまり、ＲＯ水およびＲＯ排水の利用について、個別の装置・手段における有効性を考慮するだけでなく、透析プロセスと洗浄プロセスあるいは廃液処理プロセスの横断的利用を図ることで、ＲＯ水およびＲＯ排水の更なる有効利用を図ることができ、システム全体が効率よく機能することができる。
【００２６】
本発明は、前記透析施設の水系システムにおいて、前記廃液の処理に際し、前記透析装置の稼動情報を基に廃液処理装置の処理プロセスを制御することを特徴とする。
【００２７】
上記のように、透析施設の水系システムにおいては、透析装置と廃液処理装置とが連結して１つのシステムとして稼動することによって非常に効率的な処理を行うことができる。特にシステムの中心である透析装置の稼動状態に合せて廃液処理の駆動制御を行うことで、廃液の種類あるいは処理量にあった最適な処理剤（オゾン水など）の注入量などを決定することができる。つまり、透析装置の稼動情報を基に廃液処理装置の処理プロセスを制御することによって、処理時間を大幅に短縮し、中和剤などを不要あるいは低減することができるとともに、不要なＲＯ水の使用を防止することで、システム全体の負荷を大きく低減することができる。
【発明の効果】
【００２８】
以上のように、本発明の透析施設の水系システムによれば、透析廃液あるいは洗浄廃液中の有機・生物系物質の分解や除菌を迅速かつ効率的に処理することが可能となり、コンパクトな設備で廃液のＢＯＤおよびＣＯＤレベルを低減し流路における異物の発生を抑制することができる。
【００２９】
また、同一処理装置によって透析廃液の処理と洗浄廃液の処理を同時に行うプロセスを有することによって、各処理を適切に行うと同時に、透析施設の水系システムの稼働率を非常に高めることができる。また、個々の洗浄剤によって固有の優れた効果を発揮することができるという優れたシステムを形成することができる。
【００３０】
さらに、透析装置と廃液処理装置とが連結して１つのシステムとして制御し稼動することによって、非常に効率的な処理を行うことができるとともに、ＲＯ水の節減などが可能となる。
【発明を実施するための最良の形態】
【００３１】
以下、本発明の実施の形態について、図面を参照しながら説明する。
図１は、本発明に係る透析施設の水系システムの構成を例示するブロック図であり、透析装置および廃液処理装置を中心とした一つの実施形態として説明する。ただし、本発明の装置はこれに限定されず、目的に応じて種々の変更が可能である。
【００３２】
図１に示す透析施設の水系システムは、主要な構成部として、例えば水道水から精製したＲＯ水を透析装置３に供給するＲＯ水供給手段１、透析装置３の配管系の殺菌・洗浄用の洗浄液を供給する洗浄液供給手段２、患者の血液を透析する透析装置３、および透析装置３からの廃液を処理する廃液処理装置４を有し、洗浄廃液の処理を透析廃液の処理中に行うことを特徴としている。
【００３３】
患者から取り出された血液Ｅは、透析装置３に導入され、透析が完了した血液Ｆは、再び患者の体内に戻される。ＲＯ水供給手段１から供出されたＲＯ水は、透析装置３に導入され、透析液を形成して透析器６に供給された後、透析廃液を形成して廃液処理装置４に導入・処理される。洗浄剤は、透析終了後に透析装置内の配管系に注入され、洗浄廃液を形成して廃液処理装置４に導入・処理される。
【００３４】
ここで、ＲＯ水供給手段１としては種々の作製方法があるが、例えば、水道水Ａを濾過手段、イオン交換処理手段などを通過させて処理した後に、逆浸透膜によって精製する方法（図示せず）を採ることが可能である。ただし、浄水が入手可能であれば、これらの処理のいずれかを省略することは可能である。
【００３５】
洗浄液供給手段２としては、例えば、透析完了後に洗浄液を透析装置配管系に給送ために、洗浄剤貯留部および圧送ポンプが設けられる（図示せず）。洗浄剤貯留部では所望の濃度の洗浄剤Ｂが補給あるいは所望の濃度に希釈調整される。また、洗浄剤としては、上述のような、酢酸や次亜塩素酸ナトリウムあるいは等々の薬剤が用いられる。
【００３６】
透析装置３は、基本的に図１に示すように、ＲＯ水および透析原液Ｃおよび／あるいは薬剤Ｄを供給して透析液を作製する透析液作製手段５、および例えば透析膜（図示せず）が設けられた透析器６から構成される。透析液作製手段５では、ＲＯ水をベースに透析原液Ｃおよび／あるいは薬剤Ｄを混合し、電解質などの成分が所定量含有するように調整された透析液を作製する。透析器６では、作製された透析液と患者の体内から取り出された血液Ｅとが透析膜を介して間接的に接触し、血液中の老廃物などが透析液に取り込まれる一方、透析液から電解質などが血液に取り込まれる。透析が完了した血液Ｆは、患者の体内に戻される。
【００３７】
廃液処理装置４は、透析装置からの廃液の処理方法によって種々の構成が採られるが、例えば、オゾン処理を中心とする構成を図１に例示する。透析装置３から導入された廃液は、水道水ＡあるいはＲＯ排水をベースに作製されたオゾン水および／あるいは気相オゾンと反応させ、清浄な排気Ｇと清浄水Ｈとして放出される。透析廃液の処理を主として行うが、本発明では、洗浄廃液の処理を透析廃液の処理中に行うことを特徴としている。
【００３８】
以上の構成を有する透析施設の水系システムの操作方法を、図２に基き透析プロセスおよび洗浄プロセスに分けて説明し、併せて廃液処理プロセスについて説明する。図２（Ａ）は透析装置３での動作、図２（Ｂ）は廃液処理装置での動作を例示する。なお、通常は、１の透析プロセス終了ごとに除菌処理を行い、洗浄処理は例えば週に１〜２回程度を行うことが多いが、ここでいう洗浄プロセスとは、除菌及び洗浄処理を含むもので、いずれかの処理が行われたときの廃液処理との関係を主に説明する。
【００３９】
＜透析プロセス＞
（１）図１に示す透析施設の水系システムの各構成要素を接続・設定し、稼動させる。まず、透析装置３にＲＯ水を供給し装置配管を水洗パージする。このとき、同時に廃液処理装置４を稼動するようにＲＯ排水を供給し、オゾン発生器９をＯＮとすることによって、素早く透析廃液の発生に対応することができる。
【００４０】
（２）透析原液Ｃあるいは薬剤Ｄを透析液作製手段５に供給し、ＲＯ水に混合して透析液を作製する。透析原液Ｃと薬剤Ｄの両方を供給し透析液の成分調整を行うことも可能である。このとき、透析液の混在した廃液が廃液処理装置４に導入されることから、廃液処理装置４のオゾン処理が始まり、有機物などの分解処理を開始する。
【００４１】
（３）透析液を所定量透析器６に導入し続け（液置換）、所定時間後に血液Ｅを透析装置３に導入する。透析器６において、血液に対し、老廃物等の放出と電解質等の取り込みが同時に進行する一方、透析液に対し、電解質等の放出と老廃物等の取り込みが同時に進行する。このとき、透析装置３からは透析廃液が廃液処理装置４に導入されることから、廃液処理装置４において有機物・生物系などの分解処理を開始する。
【００４２】
（４）血液Ｅおよび透析液を連続的に透析器６に導入し、透析が完了した血液Ｆを順次透析装置３から患者の体内に戻す。このとき、透析が完了した透析廃液が、透析装置３から廃液処理装置４に供出され、廃液処理装置４において有機物・生物系などの分解処理を行う。
【００４３】
（５）透析が完了すると、透析装置３への血液Ｅおよび透析液の導入を停止し、透析装置３内の例えば透析膜などの血液流路の部材を交換する。透析液は、さらに所定時間続けて透析器６に導入し、透析器６および廃液処理装置４への配管をパージする。このとき、廃液処理装置４においては有機物・生物系などの分解処理を継続して行う。
【００４４】
（６）透析液によるパージが完了すると、透析原液Ｃあるいは薬剤Ｄの供給を停止し、ＲＯ水による水洗パージを行う。このとき、廃液処理装置４における有機物・生物系などの分解処理は継続して行うが、パージに用いられたＲＯ水によって透析廃液が希釈されることによって、廃液処理が効率よく行うことができる。なお、透析治療と透析治療の間において水洗パージあるいは洗浄処理を行わずに、透析再開まで継続して透析液によるパージを行うことも一般的である。
【００４５】
（７）ＲＯ水による水洗パージが完了すると、ＲＯ水の供給を停止し、洗浄プロセスを開始する。このとき、廃液処理装置４における有機物・生物系などの分解処理は継続して行う。
【００４６】
＜洗浄プロセス＞
（８）透析装置３への供給液をＲＯ水から洗浄液に切換え、配管系および透析器６を洗浄する。このとき、透析装置３から洗浄廃液が廃液処理装置４に導入される。本発明に係る廃液処理装置４においては、有機物・生物系などの分解処理と同時に酸あるいはアルカリの処理が行うことができる。従って、従来のように洗浄廃液処理に際して、薬液の交換あるいは処理装置の切り替えなどの操作を不要とすることができる。
【００４７】
（９）所定時間洗浄液を注入した後、洗浄液からＲＯ水に切換えて透析装置３に導入し、再度水洗パージを行い、配管系および透析器６内の洗浄液および洗浄によって生じた異物を取り除く。このとき、廃液処理装置４における有機物・生物系などの分解処理は継続して行うが、パージに用いられたＲＯ水によって透析廃液が希釈されることによって、廃液処理が効率よく行うことができる。
【００４８】
（１０）以上によって、一連の透析・洗浄処理が完了する。透析完了後は、ＲＯ水を流路に充填した状態で、次の透析に備えることが好ましい。処理の再開に際しては、（１）からのプロセスを進めることによって操作することができる。
【００４９】
上記の各プロセスにおける水洗は、例えば、透析前の事前水洗１５分→液置換２０分→透析→透析後の事後水洗１５分→洗浄１５分→洗浄後の水洗１５分→・・などの時間間隔で行う方法を挙げることができる。
【００５０】
さらに効率的かつ効果的な使用方法として、後述する過酢酸系処理剤を用い一晩封入工程を本装置に適用する方法がある。具体的には、透析前の事前水洗１５分→液置換２０分→透析→透析後の事後水洗１５分→洗浄（除菌）１５分→一晩封入→透析前の事前水洗１５分→液置換２０分→透析→・・といった処理プロセスが挙げられる。洗浄（除菌）に用いた過酢酸系処理剤が、一晩封入において十分な除菌・洗浄機能を発揮するとともに、その間に分解して無害化することで、廃液処理装置４の負荷を大幅に軽減することができる。
【００５１】
次に、上記＜透析プロセス＞および＜洗浄プロセス＞において、廃液処理装置４における有機物・生物系などの分解処理について説明する。
【００５２】
（ア）透析装置３から排出される透析廃液および洗浄廃液は、輸送管を通して回収槽７へ輸送され、一時的に貯留される。このとき、廃液処理量あるいはその他必要に応じて、回収槽７にＲＯ排水などの清浄水を供給し、廃液を希釈することも可能である。また、後述のように透析装置の洗浄に過酢酸系処理剤を用いた場合には、回収槽７あるいは以降の流路内に存在する透析廃液との混合によって迅速に無害物に変化し、中和処理が不要となる。
【００５３】
（イ）回収槽７に貯留された廃液は、圧送ポンプ８によって反応槽１０に順次移送され、清浄処理が開始される。このとき、圧送ポンプ８と反応槽１０の中間からオゾン水あるいは気相オゾンを導入することで、反応槽１０内部での反応が促進される。オゾン水は、水道水ＡあるいはＲＯ排水をオゾン発生器９に導入して作製する。ここで、透析に必要なＲＯ水の作製には必ずＲＯ排水が供出されることから、ＲＯ排水からオゾン水を作製することが、透析装置および廃液処理装置を中心とした一つ透析施設の水系システムとして好適である。なお、オゾンの導入については、オゾン水または気相オゾンのいずれか、あるいは両方を段階的に導入することで、廃液中へのオゾンの溶解を迅速化することが可能である。具体的には、オゾン水を圧送ポンプ８の前段から注入し、さらには大気をオゾン発生器（図示せず）に導入して作製した気相オゾンを、圧送ポンプ８と反応槽１０の中間から導入することで、気泡による反応槽１０内部での攪拌作用によるオゾンの拡散・溶解を促進することができる。
【００５４】
（ウ）反応槽１０においては、廃液とオゾンが反応する。具体的には、廃液に含有する有機・生物系物質がオゾンによって分解し、水や二酸化炭素（ＣＯ２）あるいは低炭化水素や低炭化水酸化物などに変換することによって、溶液のＢＯＤおよびＣＯＤレベルを低減し、同時に、廃液中の細菌は減少する。さらに、細菌を排除するためには、反応槽１０内上部に設けられた紫外線源（図示せず）を設け紫外線を照射することが有効である。
【００５５】
（エ）反応槽１０内部で処理された廃液（気相オゾンを用いた場合には、気体を含む）は、脱気槽１１に導入され、気液分離される。
【００５６】
（オ）分離された気体成分は、熱交換器、ミストセパレータおよびオゾンキラーなどから構成される清浄処理手段１２によって処理された後、排気される。ここでも、脱気槽１１の気相部に紫外線源（図示せず）を設けることが好ましい。排気中のオゾンを分解低減することができることから、清浄処理手段１２における排気処理の負担を大幅に軽減することができる。
【００５７】
（カ）上記（エ）で分離された液体成分は、排水槽１３に供出され、溶解オゾンが分解される所定時間貯留され、その後排水される。このとき、排水を清浄水として回収槽７に戻し、循環使用することも可能である。
【００５８】
（キ）本装置に供給された透析廃液および洗浄廃液は、以上のプロセスを経て、処理済の排水および清浄ガスとして排出される。
【００５９】
本装置においては、回収槽７に滞留した透析廃液が比較的量的に多いことを利用し洗浄廃液と同時処理することで、実質的には洗浄廃液を透析廃液および水洗パージ廃液によって希釈して処理することとなる。従って、洗浄廃液に対する有機物・生物系などの分解処理および酸あるいはアルカリの中和処理における負荷が非常に小さなものとなる。特に、過酢酸系の洗浄剤を用いた場合には、透析廃液の存在によって迅速に無害物に変化することから、同時処理の更なる効果を得ることができる。
【００６０】
このように、透析廃液と洗浄廃液の各処理プロセスを透析施設の水系システムの１つの工程として捉え、両者を重複させて極力迅速な処理をおこなうことで長時間の人工透析を可能とし、かつ、両者の処理に必要な薬剤あるいは処理手段を極力少なくすることで、透析施設の水系システムの効率的稼動を図ることが可能となった。
【００６１】
ここで、本装置における廃液の処理に際し、透析装置３の稼動情報を基に廃液処理装置４の処理プロセスを制御することが好適である。こうすることによって、上記のように、透析、洗浄および廃液処理を一連の操作で効率的に行うことができ、透析装置３と廃液処理装置４とが連結して１つのシステムとして稼動することができる。
【００６２】
具体的には、廃液処理装置４に対し、透析装置３における透析・水洗パージ・洗浄といった主処理に対応したＲＯ排水の供給あるいはオゾン発生器９の作動を制御するだけでなく、透析装置３における透析の種類あるいは処理量の情報に基いて、（１）オゾン水あるいはオゾン水と気相オゾンとの組み合わせを選択する。例えば、処理量の増加に応じ各導入路の電磁弁の作動を制御する等、（２）処理量の増加に応じてオゾン水あるいは気相オゾンの注入量を増加する。例えば、各導入路の絞り弁あるいは圧力調整器の作動を制御する等、（３）有機物が多い場合には、例えば、ＲＯ排水を回収槽７に注入し希釈したり、紫外線照射を行う等、等々の廃液処理の追加的な処理を決定することができる。つまり、透析装置３の稼動情報を基に廃液処理装置４の処理プロセスを制御することによって、廃液処理装置４において予め追加的処理を準備して作動させておくことによって、洗浄廃液処理を含む廃液処理時間を大幅に短縮することができる。
【００６３】
つまり、廃液処理時間の短縮は、実質的に透析稼働時間を増加させることが可能となり、医療機関における透析施設の水系システムの効率的利用を図ることができる。
【００６４】
また、廃液の適切な希釈等の処理によって中和剤などを不要あるいは低減することができるとともに、不要なＲＯ水の使用を防止することで、システム全体の負荷を大きく低減することができる。
【００６５】
本装置においては、前記配管洗浄を過酢酸系処理剤によって行うことが好適である。ここでいう、過酢酸系処理剤とは、殺菌性の強い過酢酸（ＣＨ3ＣＯＯＯＨ）、炭酸カルシウムの除去能力の高い酢酸（ＣＨ3ＣＯＯＨ）、殺菌性が強く洗浄能力のある過酸化水素（Ｈ2Ｏ2）、および水（Ｈ2Ｏ）の組合せからなる生分解性を有する除菌・洗浄剤である。
【００６６】
洗浄剤として過酢酸系処理剤、例えば、過酸化水素、過酢酸配合の洗浄剤を使用することで、配管系の炭酸カルシウムの洗浄に必要な酢酸洗浄が不要となる。洗浄廃液のｐＨも廃液処理装置内での透析廃液と混合することにより、排水基準内に抑えることができる。つまり、上述のように透析廃液自体が比較的量的に多く、かつｐＨが約７．３とアルカリ性を有していることから、洗浄廃液を容易に中和処理することが可能となる。
【００６７】
また、この洗浄剤に含まれる過酸化水素が、廃液処理装置内でＢＯＤ減少のための処理に利用することができる。さらにその結果、排水によるコンクリートの腐蝕などの心配がない。特に、洗浄剤自身は、例えばｐＨ２〜４（１００倍希釈時ｐＨ３〜５）の溶液であるが、生分解性を有し、無害な物質に変換され、中和剤などを用いずに排水のｐＨを基準内に抑えることができる点において本発明の課題解決に有用である。
【００６８】
本装置では、さらに、本発明者が見出したように、透析廃液（透過液）との混合条件において、以下の各式の反応が促進され、迅速に無害化されることで透析施設の水系システムの稼働率を大幅に上げることができる。つまり、過酢酸系処理剤を用いた場合、洗浄廃液の分解反応に対し、透析廃液に含まれる例えば炭酸水素ナトリウム（ＮａＨＣＯ3）の存在で、加速度的に反応が進むものと発明者は推考している。具体的には、希釈による無害化において、ＮａＨＣＯ3を含まない水溶液との混合に比較して、希釈比率で約６０倍効率よく中和・無害化を図ることができる。
【００６９】
式１：過酢酸系処理剤を構成する過酢酸が、酢酸と酸素に分解する反応
ＣＨ3ＣＯＯＯＨ  →  ＣＨ3ＣＯＯＨ  ＋  １／２Ｏ2
式２：過酢酸系処理剤を構成する過酸化水素が、水と酸素に分解する反応
Ｈ2Ｏ2  →  Ｈ2Ｏ  ＋  １／２Ｏ2
式３：過酢酸系処理剤を構成する酢酸が、二酸化炭素（ＣＯ2）と水に分解する反応
ＣＨ3ＣＯＯＨ  ＋  ２Ｏ2  →  ２ＣＯ2  ＋  ２Ｈ2Ｏ
本発明は、こうした特性を応用したもので、過酢酸系処理剤を用いて血液透析装置の配管洗浄を行い、廃液処理装置内での透析廃液と混合することにより洗浄廃液の処理を行うことによって、適切な洗浄機能を果たしながら中和処理手段などの付帯設備を必要とせず、かつ廃液の一元処理が可能な優れた透析施設の水系システムを構成することができる。
【００７０】
さらに、洗浄廃液中の生物系成分は透析廃液と同様の成分であることから、洗浄廃液の処理中であっても、廃液処理装置の本来的機能である透析廃液処理機能が有効に働くことになる。従って、廃液処理装置としては、オゾン注入の停止や別の試薬の注入などの特別な条件変更をせずに、廃液処理機能を維持し、透析廃液と洗浄廃液の両方の処理を、同時にかつ迅速に進行することができる。つまり、透析施設の水系システムとしては、透析廃液処理から洗浄廃液処理への切換えを連続的に行うことが可能となり、処理能力の高い透析施設の水系システムが可能となったものである。
【００７１】
従って、医療施設の機械室などに設置可能なコンパクトな設備で、ＢＯＤ値などの排水の水質管理基準を遵守するとともに、透析後の洗浄処理を短時間で完了し、素早く透析を行うことができる透析施設の水系システムを提供することができる。
【００７２】
また、本装置は、ＲＯ水供給手段から供出されるＲＯ排水を廃液処理装置の処置用水として用いることを特徴とする。
【００７３】
透析液の作製においては、ＲＯ水を生成してＲＯ水供給手段に供給する必要があるが、逆浸透膜から取出されるＲＯ排水はそのまま、あるいは透析廃液の一部として処理廃棄されていた。本発明では、こうしたＲＯ排水を有効に活用することで、広い概念での透析施設の水系システムの効率化・省資源化を適切に行い、システム全体のコンパクト化を可能としている。従って、現在使用されている外置き或いは埋設タイプの浄化槽に比較して、小型コンパクトで、今まで不可能であった室内設置が可能となり、中和剤・消臭財などの必要のなく、維持管理が容易となる。
【００７４】
つまり、ＲＯ排水を、廃液の処理時におけるオゾン水の原水あるいは回収槽７や排水槽１３への希釈用水として、さらにはオゾン発生装置用の冷媒として利用することによって、ＲＯ排水の有効利用を図るとともに、ＲＯ水精製手段の負荷の軽減を図ることができる。
【００７５】
図１において、オゾン発生器９は、無声放電型や紫外線照射型などが挙げられるが、前者は発生オゾン濃度が高いことから多用される。本装置では、無声放電型によって約数１００ｐｐｍレベルのオゾン水あるいは数％レベルのオゾンガスを用い、廃液中の有機物等の分解や廃液中の細菌を排除するために必要なオゾンを確保することができる。
【００７６】
反応槽１０に設けられる紫外線源としては、１５０〜３００ｎｍの広域発光波長特性を有する紫外線源が好適であり、低圧水銀ランプ、キセノンランプ、重水素ランプなどの紫外線ランプが挙げられる。また、反応槽１０の大きさあるいは処理能力に応じて複数本を用いることも可能である。オゾンおよび紫外線の作用により有機物などが迅速に分解され、ＣＯＤおよびＢＯＤの低減や殺菌、さらに気泡の低減を図り、以降の流路における異物の発生を抑制することができる。
【００７７】
また、脱気槽１１に設けられる紫外線源としては、２５０〜３００ｎｍの狭帯域の発光波長特性を有する紫外線源が好適であり、低圧水銀ランプやキセノンランプなどの紫外線ランプが挙げられ、これに光学フィルタあるいは同性能のガラス体をカバーすることで波長選択性を上げることが可能である。これによって、特定波長域の紫外線を上記排気ガスに照射することによって、オゾンを分解することができ、清浄処理手段１２の負荷を大幅に軽減することができる。
【００７８】
図１には、基本的な処理手段の構成例を示しているが、液体成分の大部分は、溶解オゾンが分解される所定時間貯留され、その後排水される。このとき、廃液処理量あるいは液Ｂのオゾン濃度と供給量その他必要に応じて、排水槽１３にＲＯ排水などの清浄水を供給し、排液を希釈することによって短時間に排水することが可能となる。また、オゾン発生器および排気の冷却に用いた後の水道水またはＲＯ排水を、排水槽１３に注入することも好ましい。
【００７９】
また、図１においては、１つの透析装置と１つの廃液処理装置とを組合せ構成例について説明したが、むろん複数の透析装置と１つの廃液処理装置とを組合せも可能である。図３にその構成を例示する。
【００８０】
図３（Ａ）は、ＲＯ水供給手段１からのＲＯ水を用いて各透析装置３ａ、３ｂ、・・において透析液を作製し、透析後の廃液を一括して処理する構成を例示している。むろん透析を同時に行うだけでなく、各透析装置３ａ、３ｂ、・・を順次作動する場合を含むことはいうまでもない。
【００８１】
図３（Ｂ）は、ＲＯ水供給手段１からのＲＯ水を用い、１つの透析液作製手段５によって作製した透析液を、各透析装置３’ａ、３’ｂ、・・に供給し、透析後の廃液を一括して処理する構成を例示している。洗浄液を各透析装置３’ａ、３’ｂ、・・個別に供給する必要がなく透析液作製手段５を介して一括供給することが可能である。
【産業上の利用可能性】
【００８２】
以上は、主として透析装置の洗浄を中心に述べたが、同様の技術は、上記に限定されるものでないことはいうまでもない。例えば、内視鏡などの各種医療機器に対しても適用可能である。
【図面の簡単な説明】
【００８３】
【図１】本発明に係る透析施設の水系システムの１の実施態様を例示する説明図
【図２】本発明に係る透析装置および廃液処理装置のプロセスを例示する説明図
【図３】本発明に係る透析施設の水系システムの他の実施態様を例示する説明図
【図４】血液透析装置と排水処理ユニットとの組合せの従来の構成を例示する説明図
【符号の説明】
【００８４】
１    ＲＯ水供給手段
２    洗浄液供給手段
３    透析装置
４    廃液処理装置
５    透析液作製手段
６    透析器
７    回収槽
８    圧送ポンプ
９    オゾン発生器
１０  反応槽
１１  脱気槽
１２  清浄処理手段
１３  排水槽
【図１】
2005245516.tif 000003
【図２】
2005245516.tif 000004
【図３】
2005245516.tif 000005
【図４】
2005245516.tif 000006